(57)【要約】【課題】室内の温度を下げることを目的とする。【解決手段】空気調和装置が、水分を吸湿する吸湿部と、前記吸湿部を支持する支持部と、前記吸湿部に前記水分を供給する供給部と、前記吸湿部に空気を送る第１ファンと、前記支持部に空気を送る第２ファンとを有することで上記課題を解決する。【選択図】図２
2018064522.tif 000002
【特許請求の範囲】
【請求項１】
水分を吸湿する吸湿部と、
前記吸湿部を支持する支持部と、
前記吸湿部に前記水分を供給する供給部と、
前記吸湿部に空気を送る第１ファンと、
前記支持部に空気を送る第２ファンと
を含む空気調和装置。
【請求項２】
前記支持部は、光透過性を有する請求項１に記載の空気調和装置。
【請求項３】
前記支持部は、防水性がある請求項１又は２に記載の空気調和装置。
【請求項４】
前記吸湿部は、不織布である請求項１に記載の空気調和装置。
【請求項５】
前記吸湿部は、前記支持部に形成される凹凸である請求項１乃至３のいずれか１項に記載の空気調和装置。
【請求項６】
前記吸湿部は、前記支持部にコーティングされる部材である請求項１乃至３のいずれか１項に記載の空気調和装置。
【請求項７】
前記部材は、多孔質吸湿材と、接着剤との混合物である請求項６に記載の空気調和装置。
【請求項８】
請求項１乃至７のいずれか１項に記載の空気調和装置を用いる植物を栽培するための植物栽培室。
【請求項９】
前記植物が置かれる室内に、空気を出入りさせる開口部と、
前記開口部から流入する流入空気と、前記開口部から流出する流出空気とを遮蔽する遮蔽部とを更に含む請求項８に記載の植物栽培室。
【請求項１０】
前記空気調和装置を挟んで設置される第１遮蔽物と、第２遮蔽物とを更に含む請求項８又は９に記載の植物栽培室。
【請求項１１】
前記第１遮蔽物及び前記第２遮蔽物は、前記植物に対して射し込む日光を少なくとも遮蔽する遮光カーテン、前記植物が置かれる空間を保温する保温カーテン又はこれらの組み合わせである請求項１０に記載の植物栽培室。
【請求項１２】
前記植物が置かれる下部空間と、室内に外気を流入させる上部空間とを分断する位置に前記空気調和装置を設置する請求項８乃至１１のいずれか１項に記載の植物栽培室。
【請求項１３】
前記上部空間から、前記下部空間に空気を送る第３ファンを更に含む請求項１２に記載の植物栽培室。
【請求項１４】
前記下部空間から、前記上部空間に空気を送る第４ファンを更に含む請求項１２又は１３に記載の植物栽培室。
【発明の詳細な説明】
【技術分野】
【０００１】
本発明は、空気調和装置及び植物栽培室に関する。
【背景技術】
【０００２】
従来、太陽光を利用する以下のような植物栽培室が知られている。
【０００３】
図１は、太陽光を利用する植物栽培室の一例を示すモデル図である。図示するように、栽培ベッド等に設置される植物が光合成に必要な太陽光を屋根から入射する。そして、室内の温度を調整するために、植物栽培室において、遮光カーテンを開閉したり、天窓を開閉したり、又は、細霧ノズルによって水分を噴射させたりする方法が知られている。
【０００４】
また、例えば、通気可能な区画材が、ハウス本体内を上下に区画する。これによって、ハウス内が、上部室と、下部室とに分けられる。このようにして、ハウス内を細霧による気化熱で冷房し、かつ、ハウス内の湿度及び温度等といった作業環境を作業員が好適な範囲に維持する方法が知られている（例えば、特許文献１等）。
【０００５】
他にも、ハウス内において、水滴又は霧を水道管に連結される噴霧ノズルからパッドの外面に吹き付けておき、外気の熱を噴霧水との接触により吸収する。このようにすると、気化熱によって気温を下げることができる。このようにして、畜舎及び栽培室内建物において冷却効果及び加湿効果を得る方法が知られている（例えば、特許文献２等）。
【先行技術文献】
【特許文献】
【０００６】
【特許文献１】特開２０１４−１９８０３５号公報
【特許文献２】特開２００１−２１５０２７号公報
【発明の概要】
【発明が解決しようとする課題】
【０００７】
しかしながら、従来の方法では、日光等によって、室内の温度が高くなった場合でも、室内の温度を下げることができない場合がある。
【０００８】
本発明の１つの側面は、このような問題に鑑みてなされたものであり、室内の温度を下げることを目的とする。
【課題を解決するための手段】
【０００９】
上述した課題を解決し、目的を達成するため、本発明の一実施形態における、空気調和装置は、
水分を吸湿する吸湿部と、
前記吸湿部を支持する支持部と、
前記吸湿部に前記水分を供給する供給部と、
前記吸湿部に空気を送る第１ファンと、
前記支持部に空気を送る第２ファンと
を含む。
【発明の効果】
【００１０】
本発明によれば、室内の温度を下げることができる。
【図面の簡単な説明】
【００１１】
【図１】太陽光を利用する植物栽培室の一例を示すモデル図である。
【図２】本発明の第１実施形態における空気調和装置を用いた植物栽培室の全体構成例を示す模式図である。
【図３】本発明の第１実施形態における空気調和装置の構成例を示す模式図である。
【図４】本発明の第１実施形態における吸湿部及び支持部の構成の第１例を示す断面図である。
【図５】本発明の第１実施形態における吸湿部及び支持部の構成の第２例を示す断面図である。
【図６】本発明の第１実施形態における吸湿部及び支持部の構成の第３例を示す断面図である。
【図７】本発明の第１実施形態における空気調和装置を用いた植物栽培室において第３ファンの使用例を示す模式図である。
【図８】本発明の第１実施形態における空気調和装置を用いた植物栽培室において第４ファンの使用例を示す模式図である。
【図９】本発明の第２実施形態における空気調和装置を用いた植物栽培室の全体構成例を示す模式図である。
【図１０】本発明の実施形態における対流の構成例を示す模式図である。
【発明を実施するための形態】
【００１２】
本発明の実施形態を説明する。なお、本発明の植物栽培室は、温室、農業用ハウス又は植物工場等の植物を栽培する領域を含むものとする。
【００１３】
（第１実施形態）
以下に、第１実施形態に係る空気調和装置を用いた植物栽培室の全体構成例を示す。
【００１４】
例えば、第１実施形態に係る空気調和装置は、以下のように、植物栽培室で用いられる。以下、図示するように、植物栽培室において、空気調和装置が使用される例で説明する。
【００１５】
図２は、本発明の第１実施形態における空気調和装置を用いた植物栽培室の全体構成例を示す模式図である。具体的には、植物栽培室ＨＳＥは、例えば、横方向（図ではＸ軸方向である。）に７メートル、奥行き方向（図ではＹ軸方向である。）に１００メートル、高さ方向（図ではＺ軸方向である。）６メートルの長さである。なお、各長さは、様々に設定可能である。
【００１６】
図示する例では、空気調和装置ＡＣＮは、例えば、第１ファンＦＡ１と、第２ファンＦＡ２と、給水管ＳＷと、シートＳＨＴ１と、排水管ＤＷとを含む構成である。また、図示するように、空気調和装置ＡＣＮは、第３ファンＦＡ３を更に含む構成であるのが望ましい。なお、空気調和装置ＡＣＮの詳細は、後述する。
【００１７】
また、図示するように、空気調和装置ＡＣＮは、例えば、植物ＧＲが置かれる植物栽培室ＨＳＥの地上に近い空間（以下「下部空間ＤＣ」という。）と、植物栽培室ＨＳＥの室内に外気を流入される天井に近い空間（以下「上部空間ＵＣ」という。）とを分断する位置等に設置される。
【００１８】
さらに、植物栽培室ＨＳＥは、植物ＧＲが置かれる室内に、空気を出入りさせる開口部ＷＤを有するのが望ましい。例えば、図示するように、開口部ＷＤは、開閉可能な天窓等である。なお、開口部ＷＤは、１つの天窓に限られず、複数あってもよい。また、開口部ＷＤとなる位置は、植物栽培室ＨＳＥの頂点となる位置に限られず、他の位置でもよい。
【００１９】
そして、開口部ＷＤは、室内に流入する流入空気ＡＲ１と、室内から流出する流出空気ＡＲ３とが遮蔽される構成であるのがより望ましい。具体的には、植物栽培室ＨＳＥには、例えば、図示するように、流入空気ＡＲ１と、流出空気ＡＲ３とを遮蔽する遮蔽部があるのがより望ましい。
【００２０】
図示する例では、遮蔽部は、垂れシートＳＨＴ２である。なお、垂れシートＳＨＴ２は、透明色であるのが望ましい。垂れシートＳＨＴ２が透明色であると、日光が垂れシートＳＨＴ２を透過するため、垂れシートＳＨＴ２によって日陰となる部分が少なくなる。そのため、垂れシートＳＨＴ２によって日光が遮られ、日光が当たる植物ＧＲに偏りが出るのを少なくすることができる。また、垂れシートＳＨＴ２は、例えば、樹脂シート等である。
【００２１】
このように、垂れシートＳＨＴ２があると、開口部ＷＤは、流入空気ＡＲ１を室内に流入させる入口部分ＥＮと、流出空気ＡＲ３を室外へ流出させる出口部分ＥＸとに分かれる構成とすることができる。すなわち、垂れシートＳＨＴ２は、入口部分ＥＮから入った流入空気ＡＲ１が、すぐに出口部分ＥＸから室外へ出ていってしまう流路を作らない位置及び大きさであるのが望ましい。したがって、垂れシートＳＨＴ２は、図示するような位置及び大きさに限られず、入口部分ＥＮ及び出口部分ＥＸの位置及び大きさ等に応じて、設置されてもよい。このように、流入空気ＡＲ１と、流出空気ＡＲ３とが遮蔽されると、効率良く空気を循環させることができる。
【００２２】
なお、植物栽培室ＨＳＥは、図示する構成に限られず、例えば、遮光カーテン又は保温カーテン等が更にあってもよい。
【００２３】
次に、空気調和装置の構成例を示す。
【００２４】
図３は、本発明の第１実施形態における空気調和装置の構成例を示す模式図である。例えば、空気調和装置ＡＣＮは、図示するような構成である。
【００２５】
まず、空気調和装置ＡＣＮでは、シートＳＨＴ１は、給水管ＳＷから排水管ＤＷに向かって降るように、傾斜があるのが望ましい。なお、傾斜は、例えば、５°以上である。なお、シートＳＨＴ１の構成は、例えば、以下のような構成である。
【００２６】
図４は、本発明の第１実施形態における吸湿部及び支持部の構成の第１例を示す断面図である。例えば、シートＳＨＴ１は、シート上面に吸湿部、一方で、シート下面に支持部を有する構成である。すなわち、シートＳＨＴ１は、例えば、図４（Ａ）に示するように、吸湿部となる第１層ＬＹ１と、支持部となる第２層ＬＹ２とを有する２層構造である。
【００２７】
第１層ＬＹ１は、例えば、図４（Ｂ）に示するように、シート上面に貼り付けられる不織布等である。つまり、第１層ＬＹ１は、日光を遮断する素材又は色等であるのが望ましい。具体的には、第１層ＬＹ１には、赤外線を遮断する素材等である。日光に含まれる赤外線は、熱源となりやすい。そこで、赤外線を遮断する素材等が用いられると、室内の温度を高める赤外線等を遮断することができ、一方で、植物が光合成に用いる可視光線は、透過させることができる。
【００２８】
第２層ＬＹ２は、例えば、いわゆるビニールシート等である。図示するように、第２層ＬＹ２は、第１層ＬＹ１を支持する層である。そして、第２層ＬＹ２は、第１層ＬＹ１に供給される水分等が下に透過しにくい素材、すなわち、防水性があるのが望ましい。このように、第２層ＬＹ２が防水性のある素材であると、第１層ＬＹ１に吸湿される水分が下側にほとんど透過しないため、第１層ＬＹ１に水分を保水しやすくできる。
【００２９】
また、第２層ＬＹ２は、透明色であるのが望ましい。第２層ＬＹ２が透明色であると、第１層ＬＹ１を透過した光が、第２層ＬＹ２で遮断されるのを少なくすることができる。より望ましくは、第１層ＬＹ１及び第２層ＬＹ２は、日光及び紫外線等に強い素材であるのが望ましい。なお、シートＳＨＴ１は、以下のような構成でもよい。
【００３０】
図５は、本発明の第１実施形態における吸湿部及び支持部の構成の第２例を示す断面図である。例えば、シートＳＨＴ１は、図示するように、ビニールシート等の防水シートＳＨＴＤの一面を加工したシート等でもよい。この構成では、吸湿部は、防水シートＳＨＴＤに加工によって形成される凹凸ＰＴである。そして、支持部は、凹凸ＰＴの下となる防水シートＳＨＴＤである。
【００３１】
凹凸ＰＴは、例えば、ロール圧延等の方法によって形成されるストライプ、網目状、ピン形状又はこれらを組み合わせた形状である。このように、凹凸ＰＴがあると、凹凸ＰＴが溝となるため、シートＳＨＴ１は、水分を均等に吸湿することができる。したがって、凹凸ＰＴは、毛細血管現象が働く大きさであるとより望ましい。
【００３２】
また、防水シートＳＨＴＤは、光透過性を有する、例えば透明色であるのが望ましい。防水シートＳＨＴＤに光透過性があると、防水シートＳＨＴＤによって日光が遮断されるのを少なくすることができる。他にも、シートＳＨＴ１の構成は、例えば、以下のような構成である。
【００３３】
図６は、本発明の第１実施形態における吸湿部及び支持部の構成の第３例を示す断面図である。例えば、図示するように、シートＳＨＴ１は、一面が表面処理された防水シートＳＨＴＤ、すなわち、吸湿部となる部材を一面にコーティングした防水シートＳＨＴＤ等である。
【００３４】
吸湿部の例となるコーティング材ＣＯＡは、吸湿材と接着剤とを混ぜた混合物等である。例えば、吸湿材には、多孔質吸湿材等が用いられる。そして、多孔質吸湿材には、シリカゲル若しくはジルコニア等の無機材料又はメタアクリル系材料等の有機材料を用いることができる。具体的には、コーティング材ＣＯＡは、シリカゲルと接着剤とを混ぜた混合物等である。また、シートＳＨＴ１が日光を透過しやすいようにするためには、コーティング材ＣＯＡは、水と屈折率が近い素材等で構成されてもよい。
【００３５】
以上のように、図４又は図６に示すような構成とすると、シートＳＨＴ１は、透明度が低く、日光を遮断しやすい。そのため、シートＳＨＴ１は、遮光カーテンを兼ねることができる。つまり、図４又は図６のように、シートＳＨＴ１が日光を透過させにくい構成である場合には、遮光カーテン等を省略した構成にすることができる。
【００３６】
一方で、図５に示すような構成とすると、シートＳＨＴ１は、透明度が高く、日光を透過しやすい。そのため、シートＳＨＴ１は、遮光カーテン等と組み合わせて使用することができる。
【００３７】
図３に戻り、空気調和装置ＡＣＮでは、供給部の例である給水管ＳＷから、シートＳＨＴ１に、水等といった水分が供給される。このようにすると、水分は、シートＳＨＴ１を構成する吸湿部に吸湿される。また、給水管ＳＷから供給された水分は、シートＳＨＴ１の上面を伝わって、排水管ＤＷ側へ流れる。次に、排水管ＤＷに流れた水分は、排水管ＤＷによって外部へ排水される。このように水分がシートＳＨＴ１に供給されると、シートＳＨＴ１は、濡れた状態となる。
【００３８】
水分の供給後、吸湿部、すなわち、シートＳＨＴ１の上面に対して、第１ファンＦＡ１が空気を送ると、シートＳＨＴ１の上面部分を流れる気流が発生する。一方で、支持部、すなわち、シートＳＨＴ１の下面に対して、第２ファンＦＡ２が空気を送ると、シートＳＨＴ１の下面部分を流れる気流が発生する。
【００３９】
シートＳＨＴ１の上面では、水分が蒸発するため、気化熱ＨＥが奪われる。そのため、シートＳＨＴ１は、気化熱ＨＥによって冷却される。また、シートＳＨＴ１の上面にある空気（以下「上部空気ＡＲ２」という。）は、蒸発した水分によって多湿となる。次に、上部空気ＡＲ２は、壁面に当たり、上部空間ＵＣを循環する。そして、上部空気ＡＲ２は、流出空気ＡＲ３となって、室外へ排出される。
【００４０】
一方で、気化熱ＨＥによって冷却された冷気は、熱伝導によって、シートＳＨＴ１の下面に伝わる。すなわち、シートＳＨＴ１の下面にある空気（以下「下部空気ＡＲ４」という。）は、気化熱ＨＥによって冷却された上面との熱交換によって、冷却される。そして、下部空気ＡＲ４は、壁面に当たり、図２に示すように循環する。そのため、下部空気ＡＲ４によって、主に、下部空間ＤＣの温度を下げることができる。
【００４１】
また、植物栽培室では、第３ファンが以下のように使用されてもよい。
【００４２】
図７は、本発明の第１実施形態における空気調和装置を用いた植物栽培室において第３ファンの使用例を示す模式図である。例えば、第３ファンＦＡ３は、図示するような位置に設置されるファンである。図示するような位置に設置されると、第３ファンＦＡ３は、流入空気ＡＲ１の一部を下部空間ＤＣに送ることができる。このようにすると、第３ファンＦＡ３によって、下部空間ＤＣを換気することができる。
【００４３】
下部空間ＤＣでは、植物ＧＲは、蒸散を行う。そのため、蒸散によって、下部空間ＤＣの湿度が上昇する場合が多い。そこで、まず、第３ファンＦＡ３が、下部空間ＤＣに空気を送る。このようにすると、下部空間ＤＣの気圧は、上部空間ＵＣより高くなるように保たれる。そのため、第３ファンＦＡ３によって空気が送られる側（図では、左の壁側となる。）とは反対側（図では、右の壁側となる。）から、下部空間ＤＣが有する一部の空気が、上部空間ＵＣに送られる。次に、上部空間ＵＣに送られた空気は、流出空気ＡＲ３となって室外へ排出される。このようにして、下部空間ＤＣの空気は、室外の空気と換気される。
【００４４】
このように、定期的又は不定期に第３ファンＦＡ３を使用すると、蒸散によって湿った空気を換気して、下部空間ＤＣの湿度を下げることができる。
【００４５】
また、植物栽培室では、第４ファンが以下のように使用されてもよい。
【００４６】
図８は、本発明の第１実施形態における空気調和装置を用いた植物栽培室において第４ファンの使用例を示す模式図である。例えば、第４ファンＦＡ４は、図示するような位置に設置されるファンである。図示するような位置に設置されると、第４ファンＦＡ４は、下部空気ＡＲ４の一部を上部空間ＵＣに送ることができる。このようにすると、第１ファンＦＡ１は、冷たい下部空気ＡＲ４を吸湿部に送ることができる。
【００４７】
図３で説明したように、下部空気ＡＲ４は、冷却された空気である。そして、第４ファンＦＡ４によって、下部空気ＡＲ４の一部が上部空間ＵＣに送られると、第１ファンＦＡ１は、上部空気ＡＲ２に冷たい空気を含ませることができる。このようにして、気化用に用いられる空気の温度を下げると、流入空気ＡＲ１（図２参照）のみを用いる場合と比較して、より下部空気ＡＲ４を冷却することができる。
【００４８】
なお、以上のように、第４ファンＦＡ４を使用する場合には、第４ファンＦＡ４を使用する側（図では、左の壁側となる。）の反対側（図では、右の壁側となる。）は、閉じるように制御されるのが望ましい。また、第４ファンＦＡ４を使用する場合には、例えば、吸気口ＡＲＩＮ等から外気を取り込むのが望ましい。なお、吸気口ＡＲＩＮの位置は、図示する位置に限られず、他の位置でもよい。
【００４９】
また、図７に示す第３ファンＦＡ３と、第４ファンＦＡ４とは、同一のファンでもよい。すなわち、第３ファンＦＡ３は、第４ファンＦＡ４を兼ねてもよい。例えば、図７に示すように、上部空間ＵＣの空気を下部空間ＤＣに送る方向を第３ファンＦＡ３の順回転とする。そして、図８に示すような第４ファンＦＡ４と同様の機能を発揮させる場合には、第３ファンＦＡ３は、図７に示す場合とは逆回転する。このようにすると、第３ファンＦＡ３は、図８に示すような第４ファンＦＡ４と同様に、下部空気ＡＲ４の一部を上部空間ＵＣに送ることができる。
【００５０】
以上のように、第３ファンＦＡ３と、第４ファンＦＡ４とを同一のファンにすると、ファンの数を少なくすることができる。そのため、ファンを設置するコスト及びファンを運転させるコスト等を少なくすることができる。
【００５１】
（第２実施形態）
次に、第２実施形態に係る空気調和装置を用いた植物栽培室の全体構成例を示す。
【００５２】
図９は、本発明の第２実施形態における空気調和装置を用いた植物栽培室の全体構成例を示す模式図である。第２実施形態は、第１実施形態、すなわち、図２に示す構成と比較すると、第１遮蔽物の例である遮光カーテンＳＣＲ１と、第２遮蔽物の例である保温カーテンＳＣＲ２とが追加される点が異なる。以下、異なる点を中心に説明し、重複する説明を省略する。
【００５３】
第２実施形態では、図示するように、遮光カーテンＳＣＲ１と、保温カーテンＳＣＲ２とが、空気調和装置ＡＣＮを挟んで設置される。このようにすると、遮光カーテンＳＣＲ１と、保温カーテンＳＣＲ２とによって挟まれた空間がダクト状となる。このようにして、第２実施形態では、遮光カーテンＳＣＲ１と、保温カーテンＳＣＲ２とによって流路を形成する。具体的には、シートＳＨＴ１の上面部分に、気化用の流路が形成される。一方で、シートＳＨＴ１の下面部分に、冷却用の流路が形成される。このようにすると、気流を安定させることができる。このような流路がないと、ファン等によって、空気が空間全体に送られ、空気が拡散する場合がある。そこで、図示するような構成として、それぞれの流路を形成すると、空気が空間全体に拡散するのを抑制することができる。また、図示するような構成とすると、シートＳＨＴ１の上面部分及びシートＳＨＴ１の下面部分に流すそれぞれの空気の風速を安定させることができる。
【００５４】
なお、第１遮蔽物及び第２遮蔽物は、図示するような遮光カーテンＳＣＲ１及び保温カーテンＳＣＲ２に限られない。すなわち、第１遮蔽物及び第２遮蔽物は、例えば、植物に対して射し込む日光を少なくとも遮蔽する遮光カーテン、植物が置かれる空間を保温する保温カーテン又はこれらの組み合わせ等であるが、第１遮蔽物及び第２遮蔽物は、図示する以外の種類のカーテン又は組み合わせでもよい。
【００５５】
次に、シミュレーション結果例を示す。
【００５６】
以下のような条件でシミュレーションした結果を説明する。
・下部空間の風速  ６メートル／秒
・温度  ３０℃（上部空間及び下部空間共通）
・湿度  ６８％（上部空間及び下部空間共通）
・シミュレーション対象領域  ２メートル×７メートル
以上のような条件では、下部空間、すなわち、植物の栽培空間にある空気が、３０℃まで上昇した場合では、空気は、２５℃まで下げることができた。
【００５７】
植物を栽培するには、３０℃以下、例えば、２５℃程度であるのが望ましい場合が多い。すなわち、３０℃を超える温度となると、植物は、枯れる等の高温障害を起こす場合がある。そこで、本発明の実施形態に係る空気調和装置を用いると、植物の高温障害を抑制することができる。
【００５８】
次に、変形例を示す。
【００５９】
図１０は、本発明の実施形態における対流の構成例を示す模式図である。例えば、上部空気ＡＲ２と、下部空気ＡＲ４との対流、すなわち、それぞれの空気の流れる方向は、図示するような組み合わせである。例えば、上部空気ＡＲ２と、下部空気ＡＲ４とは、図１０（Ａ）に示すように、対向する方向に、送られてもよい。このようにすると、熱効率を良くすることができる。また、上部空気ＡＲ２と、下部空気ＡＲ４とは、中央部で合流し、下降気流となってもよい。
【００６０】
なお、対流は、図１０（Ｂ）に示すように、直交する方向に、送られてもよい。また、例えば、図１０（Ｃ）に示すように、Ｘ軸に平行な点線で示す位置に、天井から垂れシートＳＨＴ３を垂らし、垂れシートＳＨＴ３が、物理的に空気の流れを分離してもよい。なお、空気の流れを分離できれば、垂れシートＳＨＴ３は、植物栽培室を完全に分離するものではなく、部分的に設置されるものでもよい。
【００６１】
また、植物栽培室には、補助照明等が更に設置されてもよい。
【００６２】
上述したように、図２に示すように、植物栽培室ＨＳＥに、空気調和装置ＡＣＮを用いると、図３に示すように、気化熱ＨＥを利用して、植物が置かれる下部空間ＤＣの温度を下げることができる。
【００６３】
例えば、第１比較例として、室内に、冷却された空気を送って室内を冷却する方法が考えられる。このような方法と比較すると、本発明の実施形態は、特に、大規模な植物栽培室では、温度を下げるのに必要となるコスト、すなわち、空調機等を稼働させるコストを抑えることができる。
【００６４】
他にも、第２比較例として、植物を栽培する空間に、遮光カーテンを用いたり、又は水を噴射したりして、室内を冷却する方法が考えられる。このような方法と比較すると、本発明の実施形態は、より温度を下げることができる。すなわち、第２比較例の方法では、冷却能力が不足している場合がある。そこで、本発明の実施形態とすると、十分に室内の温度を下げることができる。
【００６５】
また、第２比較例の方法では、植物付近の湿度が高くなる場合がある。一方で、本発明の実施形態とすると、冷却によって湿度が上昇するのを少なくすることができる。植物付近の湿度が高くなると、植物が病気になりやすくなる場合等がある。そこで、本発明の実施形態とすると、植物の病気が発生するのを抑制し、収穫量を増加させることができる。
【００６６】
さらに、第２比較例の方法では、高くなった湿度を下げるため、換気を行う方法が考えられるが、特に、大規模な植物栽培室では、換気が難しい場合がある。また、植物付近は、植物の成長を促進させるため、二酸化炭素濃度を高くしている場合がある。このような場合には、換気が行われると、二酸化炭素が室外へ排出されてしまう場合がある。一方で、本発明の実施形態とすると、二酸化炭素が室外へ排出されてしまうのを少なくすることができる。
【００６７】
以上、本発明の好ましい実施例について詳述したが、本発明は、上述の実施形態に限定されず、特許請求の範囲に記載された本発明の要旨の範囲内において、種々の変形又は変更が可能である。
【符号の説明】
【００６８】
ＡＣＮ  空気調和装置
ＨＳＥ  植物栽培室
ＦＡ１  第１ファン
ＦＡ２  第２ファン
ＦＡ３  第３ファン
ＦＡ４  第４ファン
ＡＲ１  流入空気
ＡＲ３  流出空気
ＡＲ２  上部空気
ＡＲ４  下部空気
ＵＣ  上部空間
ＤＣ  下部空間
ＳＷ  給水管
ＤＷ  排水管
【図１】
2018064522.tif 000003
【図２】
2018064522.tif 000004
【図３】
2018064522.tif 000005
【図４】
2018064522.tif 000006
【図５】
2018064522.tif 000007
【図６】
2018064522.tif 000008
【図７】
2018064522.tif 000009
【図８】
2018064522.tif 000010
【図９】
2018064522.tif 000011
【図１０】
2018064522.tif 000012